(57)【要約】      （修正有）【課題】湿気に強く、染毛剤の取り出しが容易である染毛剤容器と計量カップとの組み合わせからなるヘアカラーセットを提供する。【解決手段】ヘアカラーセット１は、粉末染毛剤８を収容し、開口部が５ｍｍ以上２５ｍｍ以下の染毛剤容器２と、所定量の粉末染毛剤８と水を収容し、水を計量するための目盛１０が附された計量カップ３とからなる。染毛剤容器２は、開口部より大きい柔軟性を有する本体部５と、開口部を開閉するキャップ７とを備えている。染毛剤容器２から１回使用量の粉末染毛剤８を受け入れる計量スプーン４をさらに備える。【選択図】図１
0003230891.tif 000002
【実用新案登録請求の範囲】
【請求項１】
粉末染毛剤を収容し、開口部が５ｍｍ以上２５ｍｍ以下の染毛剤容器と、
所定量の前記粉末染毛剤と水を収容し、水を計量するための目盛が附された計量カップとからなるヘアカラーセット。
【請求項２】
前記染毛剤容器は、前記開口部より大きい柔軟性を有する本体部と、前記開口部を開閉するキャップとを備えていることを特徴とする請求項１に記載のヘアカラーセット。
【請求項３】
前記染毛剤容器から必要量の粉末染毛剤を受け入れる計量スプーンをさらに備えることを特徴とする請求項２に記載のヘアカラーセット。
【請求項４】
前記染毛剤容器は、１回使用分の粉末染毛剤を収容するスティック型であり、一端を破断することで前記開口部が形成されることを特徴とする請求項１に記載のヘアカラーセット。
【考案の詳細な説明】
【技術分野】
【０００１】
本考案は、染毛剤を収容する染毛剤容器と計量カップとの組み合わせからなるヘアカラーセットに関する。
【背景技術】
【０００２】
従来の染毛剤は、酸化染料とアルカリ剤を含む第一剤と、酸化剤を含む第二剤とを混合して毛髪に塗布する二剤式が広く使用されている。しかし、二剤式は、第一剤と第二剤が別々の容器に収容され、事前にトレー等の別の容器内で混合するので、正確な混合比で混合することが難しいうえ、混合時に手指や衣服を汚す等、使用者にとって使用前の作業が煩わしい。
【０００３】
一方、酸化染料と酸化剤と分散剤を配合した一剤式の粉末染毛剤が特許文献１等で知られている。この粉末染毛剤は、使用時に水と混合するだけであるので、使用方法が簡便であり、輸送や携帯、保管が容易である。
【０００４】
従来の粉末染毛剤は、広口のボトルに収容され、スプーンで必要量すくい取って容器に入れ、水で溶いて使用されている。このような広口のボトルでは、開口した時に湿気に晒されやすい。このため、酸化染料や酸化剤の安定性が低下して、均一な混合が困難になり、成分が偏り、所望の色に染毛できないことがある。また、スプーンが濡れていると、スプーンに付着して洗浄がし難くなったり、粉末が湿ってボトルから取り出しにくくなる等の問題があった。
【先行技術文献】
【特許文献】
【０００５】
【特許文献１】特開平１１−２４６３７０号公報
【考案の概要】
【考案が解決しようとする課題】
【０００６】
本考案は、前記従来の問題点に鑑みてなされたもので、湿気に強く、染毛剤の取り出しが容易である染毛剤容器と計量カップとの組み合わせからなるヘアカラーセットを提供することを課題としている。
【課題を解決するための手段】
【０００７】
前記課題を解決するための手段として、本考案は、
（１）粉末染毛剤を収容し、開口部が５ｍｍ以上２５ｍｍ以下の染毛剤容器と、
所定量の前記粉末染毛剤と水を収容し、水を計量するための目盛が附された計量カップとからなるヘアカラーセットである。
【０００８】
前記染毛剤容器は、前記開口部より大きい柔軟性を有する本体部と、前記開口部を開閉するキャップとを備えている。
【０００９】
前記染毛剤容器から１回使用量の粉末染毛剤を受け入れる計量スプーンをさらに備えることが好ましい。
【００１０】
前記染毛剤容器は、１回使用分の粉末染毛剤を収容するスティック型であり、一端を破断することで前記開口部が形成される。
【考案の効果】
【００１１】
本考案によれば、開口部が５ｍｍ以上２５ｍｍ以下の染毛剤容器に粉末染毛剤が収容されているので、外気に触れ難くいうえ、スプーン等を入れることができないので、湿気に強い。また、粉末染毛剤を開口部から流動して容易に取り出すことができる。
【図面の簡単な説明】
【００１２】
【図１】本考案の第１実施形態に係るヘアカラーセットを示す図（ａ）、及び染毛剤容器の一部拡大図（ｂ）。
【図２】図１のヘアカラーセットを使用して染毛剤をつくる手順を示す図。
【図３】図２に続いて染毛剤をつくる手順を示す図。
【図４】図３に続いて染毛剤をつくる手順を示す図。
【図５】本考案の第２実施形態に係るヘアカラーセットを示す図（ａ）、及び染毛剤容器の拡大図（ｂ）。
【考案を実施するための形態】
【００１３】
＜第１実施形態＞
図１（ａ）は、本考案の第１実施形態に係るヘアカラーセット１を示す。このヘアカラーセット１は、スパウトパウチ型の染毛剤容器２と、計量カップ３と、計量スプーン４と、図示しない手袋とからなる。
【００１４】
染毛剤容器２は、柔軟性を有する本体部５と、スパウト６と、該スパウト６の開口部を開閉するキャップ７とを備えたスパウトパウチからなっている。本体部５はスパウト６の開口部より大きい。染毛剤容器２は、ポリエステル、ナイロン、アルミ箔、ポリプロピレン等から構成される多層フィルムからなる柔軟性を有するシートを袋状にし、内部に粉末染毛剤８を収容して上端開口の中央にキャップ７を備えたスパウト６を挟んでシールしたものである。染毛剤容器２の底にはマチが設けられることにより、粉末染毛剤８を収容したときに底が広がって自立できるようになっている。スパウト６は、上端と側端の角部に設けてもよい。
【００１５】
図１（ｂ）に示すように、スパウト６の開口部の内径Ｄは、内部の粉末染毛剤８の流出が可能で、外気に触れる可能性をできるだけ抑える観点から、好ましくは５ｍｍ以上２５ｍｍ以下、より好ましくは１０ｍｍ以上２１ｍｍ以下が好ましい。５ｍｍ未満では、内部の粉末染毛剤８の流出が困難になる。２５ｍｍを越えると、内部の粉末染毛剤８が外気に触れる可能性が高まるからである。
【００１６】
染毛剤容器２の大きさは、内部に５〜１０回使用量の粉末染毛剤８を収容できる容量を有し、縦１９０ｍｍ、横１２０ｍｍ、マチ幅３ｍｍが好ましいが、これに限るものではない。
【００１７】
染毛剤容器２に収容される粉末染毛剤８は、酸化染料と酸化剤と分散剤を配合した一剤式の染毛剤である。酸化染料の中間体として、パラフェニレンジアミン、パラアミノフェノール、オルトアミノフェノール、酸化染料のカプラーとして、レゾルシンが配合されている。酸化剤として、過ホウ酸ナトリウム、分散剤として、トウモロコシデンブンが配合されている。
【００１８】
その他、必要に応じて、小麦粉、ソルビット、カルボキシメチルセルロースナトリウム、無水硫酸ナトリウム、キシリット、セージ末、ヨクイニン末、ポリアクリル酸ナトリウム、ローズマリー末、カミツレ末、レモン果汁、海藻末、ニンジン末、アズキ末、カンゾウ末、エデト酸四ナトリウム、アスコルビン酸、パパイヤ末、クインスシードエキス、イリスネ末、黒砂糖、コメヌカ、コンフリー葉末、ハマメリス末、マロニエエキス等が、ＰＨ調整剤、界面活性剤、増粘剤、保湿剤、帯電防止剤、柔軟剤、酸化防止剤、防腐剤、金属封鎖剤、賦形剤、色素、香料として、配合されている。
【００１９】
計量カップ３は、スプーン３杯分の粉末染毛剤８と、この粉末染毛剤８を溶かすのに必要な約１５０ｃｃの水を収容可能で、中に手を入れて混ぜることができる大きさを有するポリエチレン等の樹脂製の透明な容器である。計量カップ３は、例えば直径１００ｍｍ、高さ８０ｍｍの容器で、上端開口を蓋９で開閉できることが好ましいが、大きさはこれに限るものではない。計量カップ３の側面には、スプーン１、２、３杯分に必要な水の量５０ｃｃ、１００ｃｃ、１５０ｃｃを計量するための目盛１０が附されている。
【００２０】
計量スプーン４は、染毛剤容器２から必要量の粉末染毛剤８を受け取って計量カップ３に入れるためのものである。計量スプーン４の１杯分は、毛髪の根元をリタッチするのに必要な量、２杯分は毛髪の長さがミディアムで全頭の毛髪を染毛するのに必要な量、３杯分は毛髪の長さがロングで全頭の毛髪を染毛するのに必要な量に相当する。
【００２１】
次に、第１実施形態に係るヘアカラーセット１を使用して染毛剤を作り染毛する手順について説明する。
【００２２】
染毛前に、皮膚アレルギー試験（パッチテスト）を行う。染毛剤容器２の少量の粉末染毛剤８と水を１：４〜５の割合で混合してテスト剤をつくり、腕の内側に綿棒で薄く塗り、乾燥させる。４８時間後、塗布部に発疹、発赤、かゆみ、水疱、刺激等の異常がなければ、染毛可能である。
【００２３】
図２（ａ）に示すように、染毛剤容器２のスパウト６のキャップ７を外し、スパウト６を下にして染毛剤容器２を傾けることにより、スパウト６の開口部から粉末染毛剤８を流出させ、計量スプーン４に受け取って摺り切りで計量する。染毛範囲がリタッチか前頭かにより、また使用者の毛髪の長さに応じて、必要な量の粉末染毛剤８を計量する。計量スプーン４で計量した粉末染毛剤８は、図２（ｂ）に示すように、計量カップ３に入れる。根元リタッチの場合は計量スプーン４の１杯分、ミディアム全頭の場合は計量スプーン４の２杯分、ロング全頭の場合は計量スプーン４の３杯分を計量する。必要な量の粉末染毛剤８の計量が終わると、染毛剤容器２のスパウト６にキャップ７を取り付けて封止しておく。
【００２４】
図３（ａ）に示すように、計量カップ３に必要量の水を入れて、粉末染毛剤８と混合し、染毛剤をつくる。計量スプーン４で１杯分の場合は５０ｃｃ、計量スプーン４で２杯分の場合は１００ｃｃ、計量スプーン４で３杯分の場合は１５０ｃｃの水をそれぞれ各目盛１０の位置まで入れて計量する。
【００２５】
図３（ｂ）に示すように、計量カップ３の開口を蓋９で閉じ、図４（ａ）に示すように、計量カップ３を持って１０回ほど振り、粉末染毛染剤８と水を混合する。図４（ｂ）に示すように、手袋１１を嵌めた手あるいは刷毛等で、軽く薬剤を混ぜて仕上げる。１〜２分おいて、薬剤をなじませ、マヨネーズぐらいの固さになれば、染毛剤が出来上がる。
【００２６】
染毛剤は、手袋１１を嵌めた手、又は刷毛や櫛等を使用して、毛髪の生え際等の目立つところの根元から塗り始める。塗り終えると、１５〜３０分放置する。手袋１１を嵌めたまま、シャワーですすぎ、シャンプーで洗い流し、タオルで拭いて終了となる。
【００２７】
本実施形態のヘアカラーセット１は、スパウト６の開口部が５ｍｍ以上２５ｍｍ以下の染毛剤容器に粉末染毛剤が収容されているので、外気に触れ難くいうえ、スプーン等を入れることができないので、湿気に強い。また、粉末染毛剤８をスパウト６の開口部から流動して容易に取り出すことができる。
【００２８】
染毛剤容器２の本体部５は柔軟性を有するので、内部の粉末染毛剤８が少なくなったとき、内部の空気を押し出してキャップ７でスパウト６の開口部を塞ぐことができ、内部の粉末染毛剤８が湿るのを防止することができる。
【００２９】
＜第２実施形態＞
図５（ａ）は、本考案の第２実施形態に係るヘアカラーセット１２を示す。このヘアカラーセット１２は、スティック型の染毛剤容器１３と、計量カップ３と、図示しない手袋とからなる。
【００３０】
染毛剤容器１３は、ポリエステル、ナイロン、アルミ箔、ポリプロピレン等から構成される多層フィルムをスティック型の袋状にし、内部に粉末染毛剤８を収容して上端開口をシールしたものである。染毛剤容器１３の一端は、手で容易に破断して、開口部を形成することができる。
【００３１】
図５（ｂ）に示すように、染毛剤容器１３の一端を切り離したときの開口部の内径Ｄは、内部の粉末染毛剤８の流出が可能で、内部の粉末染毛剤８が外気に触れる可能性をできるだけ抑える観点から、好ましくは５ｍｍ以上２５ｍｍ以下、より好ましくは１０ｍｍ以上２１ｍｍ以下が好ましい。５ｍｍ未満では、内部の粉末染毛剤８の流出が困難になる。２５ｍｍを越えると、内部の粉末染毛剤８が外気に触れる可能性が高まる。
【００３２】
染毛剤容器１３の大きさは、内部に１回使用量の粉末染毛剤８を収容できる容量を有し、縦１５５ｍｍ、横２５ｍｍが好ましいが、これに限るものではない。染毛剤容器１３は、ヘアカラーセット１２として、複数袋、好ましくは１０袋同梱される。
【００３３】
軽量カップ３は、前記実施形態の軽量カップ３と同じであり、対応する部分には同一符号を附して説明を省略する。
【００３４】
第２実施形態に係るヘアカラーセット１３を使用して染毛剤を作り染毛する手順については、粉末染毛剤８を計量する必要がなく、必要な数の染毛剤容器１３を開封して計量カップ３に投入するだけでよい。根元リタッチの場合は染毛剤容器１３を１袋、ミディアム全頭の場合は染毛剤容器１３を２袋、ロング全頭の場合は染毛剤容器１３を３袋である。その後の手順については、第1実施形態で説明した手順と同様であるので、説明を省略する。
【００３５】
第２実施形態に係るヘアカラーセット１２では、粉末染毛剤８を計量する必要がなく、必要な袋数の染毛剤容器１３を破断して取り出すだけでよいので、簡便で、迅速に染毛剤をつくることができる。
【００３６】
また染毛剤容器１３は、１回で使用分の粉末染毛剤８を収容するので、開口部を閉じて保管する必要がない。未開封の染毛剤容器１３は、空気に触れることがないので、長期間保管できる。
【００３７】
本考案は、前記実施形態に限るものではなく、考案の要旨から逸脱しない範囲で、変更や修正を行うことができる。
例えば、染毛剤容器２、１３や計量カップ３の大きさは収容する粉末染毛剤の量に応じて変更することができる。
【符号の説明】
【００３８】
１  ヘアカラーセット
２  染毛剤容器
３  計量カップ
４  計量スプーン
５  本体部
６  スパウト
７  キャップ
８  粉末染毛剤
９  蓋
１０  目盛
１１  手袋
１２  ヘアカラーセット
１３  染毛剤容器
【図１】
0003230891.tif 000003
【図２】
0003230891.tif 000004
【図３】
0003230891.tif 000005
【図４】
0003230891.tif 000006
【図５】
0003230891.tif 000007